(57)【要約】【課題】      特殊再生時の再生画像の画質を向上する。【解決手段】  Ｉピクチャ、Ｐピクチャ、Ｂピクチャを含む映像情報ブロックから構成され、映像情報ブロックの先頭にＩピクチャが配置されたディジタル映像情報が記録された光ディスクの再生方法において、一つの映像情報ブロックにおけるＩピクチャの読出しの終了後に、次の映像情報ブロックのＩピクチャが記録されているアドレスにジャンプすることで、順次Ｉピクチャのみを再生することによる高速再生を行い、高速再生されたＩピクチャの映像情報をメモリに記憶させ、高速再生時にメモリの出力を画面単位でのポストフィルタ処理させ、高速再生時にはポストフィルタの出力を選択して出力する。【選択図】    図１ 
2005318641.tif 000002
【特許請求の範囲】
【請求項１】
動き補償予測とＤＣＴとを用いて高能率符号化された映像情報が記録される光ディスクであって、
フレーム内ＤＣＴが行われた映像情報であるＩピクチャ、前方向の動き補償が行われたＤＣＴ符号化による映像情報であるＰピクチャ、及び時間的に前後に位置する前記Ｉピクチャ、Ｐピクチャを参照画面として動き補償が行われたＤＣＴ符号化による映像情報であるＢピクチャを含む映像情報ブロックから構成され、
上記映像情報ブロックの先頭に上記Ｉピクチャが配置されたディジタル映像情報が記録された光ディスクの再生方法において、
一つの映像情報ブロックにおけるＩピクチャの読出しの終了後に、次の映像情報ブロックのＩピクチャが記録されているアドレスにジャンプすることで、順次Ｉピクチャのみを再生することによる高速再生を行い、
高速再生されたＩピクチャの映像情報をメモリに記憶させ、
上記ＩピクチャからＩピクチャまでのジャンプにおいて、予め決められた一定時間内にＩピクチャの読出しが完了しない場合でも次の映像情報ブロックにジャンプさせ、
上記Ｉピクチャのすべての映像情報がメモリに記録されるまで、メモリから出力される画面情報をフリーズさせ、
上記高速再生時に上記メモリの出力を画面単位でのポストフィルタ処理させ、
高速再生時には上記ポストフィルタの出力を選択して出力する一方、通常再生時には上記メモリの出力を、上記ポストフィルタ手段を通すことなく出力する
を有する光ディスクの再生方法。
【請求項２】
上記ポストフィルタ処理が、ライン単位で入力される映像情報に対して、水平方向のローパスフィルタリングを行った後、垂直ローパスフィルタリングを行うものであることを特徴とする請求項１に記載の光ディスクの再生方法。
【請求項３】
動き補償予測とＤＣＴとを用いて高能率符号化された映像情報が記録される光ディスクであって、
フレーム内ＤＣＴが行われた映像情報であるＩピクチャ、前方向の動き補償が行われたＤＣＴ符号化による映像情報であるＰピクチャ、及び時間的に前後に位置する前記Ｉピクチャ、Ｐピクチャを参照画面として動き補償が行われたＤＣＴ符号化による映像情報であるＢピクチャを含む映像情報ブロックから構成され、
上記映像情報ブロックの先頭に上記Ｉピクチャが配置されたディジタル映像情報が記録された光ディスクの再生装置において、
一つの映像情報ブロックにおけるＩピクチャの読出しの終了後に、次の映像情報ブロックのＩピクチャが記録されているアドレスにジャンプすることで、順次Ｉピクチャのみを再生し高速再生を行うジャンプ手段と、
高速再生されたＩピクチャの映像情報を記憶するメモリと、
上記ＩピクチャからＩピクチャまでのジャンプにおいて、予め決められた一定時間内にＩピクチャの読出しが完了しない場合でも次の映像情報ブロックにジャンプさせるための高速再生手段と、
上記Ｉピクチャのすべての映像情報がメモリに記録されるまで、メモリから出力される画面情報をフリーズさせるためのフリーズ手段と、
上記高速再生時に上記メモリの出力を画面単位でのポストフィルタ処理するポストフィルタ手段と、
高速再生時には上記ポストフィルタ手段の出力を選択して出力する一方、通常再生時には上記メモリの出力を、上記ポストフィルタ手段を通すことなく出力する選択手段と
を有する光ディスクの再生装置。
【請求項４】
上記ポストフィルタが、
ライン単位で入力される映像情報に対して、水平方向のローパスフィルタリングを行う水平ローパスフィルタと、
水平ローパスフィルタの出力に対して垂直ローパスフィルタリングを行う垂直ローパスフィルタと
を備えることを特徴とする請求項３に記載の光ディスクの再生装置。
【発明の詳細な説明】
【技術分野】
【０００１】
この発明は、光ディスク、磁気テープ等の記録メディア上に記録されている符号化され
たディジタル映像信号の再生を行うディジタル映像信号再生装置に関する。
【背景技術】
【０００２】
映像信号を符号化する場合の高能率符号化方式の一つとして、動き補償予測を用いた画像間予測符号化と画像内変換符号化とを組み合わせた、ハイブリッド符号化方式がある。図１４は例えば、ＣＣＩＴＴのISO-IEC/JTC1/SC29/WG11  MPEG  92/N0245  Test  Model  2  に従って構成された従来のディジタル映像信号再生装置の一例を示すブロック回路図である。この従来例において、光ディスク、磁気テープ等の記録メディア１上にも、このハイブリッド符号化方式によって符号化された映像信号が記録されている。
【０００３】
図１４において、記録メディア１に記録されている映像信号は、情報検出回路２によって順次読み出され、誤り訂正回路３に入力される。誤り訂正回路３の出力は制御回路４に入力され、制御回路４により情報検出回路２を制御する。一方、誤り訂正回路３の出力は可変長復号回路５にも入力されＩＤＣＴ回路６で逆離散コサイン変換が施され、その出力が加算器８への第１の入力として与えられる。また、誤り訂正回路３の出力は予測データ復号回路７にも入力され、予測データ復号回路７の出力は加算器８への第２の入力として与えられる。加算器８での加算結果は、メモリ回路９を介して出力端子１２から出力される。
【０００４】
図１５は、ディジタル映像信号を符号化するための符号化装置を示すブロック図である。従来のディジタル映像信号再生装置において再生されるディジタル映像信号は、図１５に示すようなシステムによって記録メディア１に符号化データとして記録されている。図１５において、入力端子８０から入力されたディジタル映像信号は、まずメモリ回路８１に入力される。メモリ回路８１から出力される映像信号９２ａは、減算器８２への第１の入力、および動き補償予測回路９０への第２の入力として与えられる。減算器８２の出力は、ＤＣＴ回路８３を介して量子化回路８４に入力される。量子化回路８４の出力は、可変長符号化回路８５を介して誤り訂正回路８６に入力される。誤り訂正回路８６の出力は変調回路９１によってディジタル変調が施され、動き補償予測とＤＣＴ（離散コサイン変換）とを用いて高能率符号化された画像情報として、記録メディア１に記録される。
【０００５】
一方、量子化回路８４の出力は、逆量子化回路８７を介して、ＩＤＣＴ回路８８にも入力される。ＩＤＣＴ回路８８の出力は、加算器８９への第１の入力として与えられる。加算器８９の加算結果である画像情報９３ａは、動き補償予測回路９０への第１の入力として与えられる。動き補償予測回路９０の出力である予測画像情報９４ａは、加算器８９への第２の入力、および減算器８２への第２の入力として与えられている。
【０００６】
図１６は、ディジタル映像信号の符号化装置における動き補償予測回路９０の一例を示すブロック回路図である。図において、入力端子９２にはメモリ回路８１の映像信号９２ａが、入力端子９３には加算器８９からの画像情報９３ａがそれぞれ与えられる。入力端子９３から入力される画像情報９３ａは、切り替え器９５を介して、フレームメモリ９５ａまたはフレームメモリ９５ｂに入力される。フレームメモリ９５ａから出力される参照画像は、動きベクトル検出回路９６ａへの第１の入力として与えられる。動きベクトル検出回路９６ａの第２の入力には、入力端子９２から入力される映像信号９２ａが与えられる。動きベクトル検出回路９６ａの出力は、予測モード選択器９７に入力される。
【０００７】
一方、フレームメモリ９５ｂから出力される参照画像は、動きベクトル検出回路９６ｂへの第１の入力として与えられる。動きベクトル検出回路９６ｂの第２の入力には、入力端子９２から入力される映像信号９２ａが与えられる。動きベクトル検出回路９６ｂの出力は、予測モード選択器９７への第２の入力として与えられている。
【０００８】
予測モード選択器９７の第３の入力には、入力端子９２から入力される映像信号９２ａが与えられる。予測モード選択器９７の第１の出力は、切り替え器９８への第１の入力として与えられる。切り替え器９８の第２の入力には０信号が与えられる。切り替え器９８への第３の入力としては、予測モード選択器９７の第２の出力が与えられる。切り替え器９８の出力は、予測画像情報９４ａとして出力端子９４から出力される。
【０００９】
次に、図１５のディジタル映像信号の符号化装置における符号化動作について説明する。まず、動き補償予測を用いた画像間予測符号化と画像内変換符号化とを組み合わせたハイブリッド符号化方式で記録された映像信号のうち、画像間予測符号化される映像信号部分について、概略を説明する。
【００１０】
図１７は、映像信号符号化方式における動き補償予測を示す概念図である。また、図１８は、映像信号符号化方式におけるメモリ回路８１の動作を示す概念図である。
【００１１】
図１７において、一連の各画像情報は画像内変換された符号化画像（以下、Ｉピクチャという。）Ｉ、片方向予測符号化画像（以下、Ｐピクチャという。）Ｐ1  〜Ｐ４
、及び両
方向予測符号化画像（以下、Ｂピクチャという。）Ｂ１  〜Ｂ１０の３つのタイプの画像情報に分けられる。例えば、Ｎ枚に１枚の画像をＩピクチャとし、Ｍ枚に１枚はＰピクチャまたはＩピクチャとする場合、ｎ、ｍを整数、かつ、１≦ｍ≦Ｎ／Ｍとして、（Ｎ×ｎ＋Ｍ）番目の画像はＩピクチャ、（Ｎ×ｎ＋Ｍ×ｍ）番目の画像（ｍ≠１）はＰピクチャ、（Ｎ×ｎ＋Ｍ×ｍ＋１）番目から（Ｎ×ｎ＋Ｍ×ｍ＋Ｍ−１）番目の画像はＢピクチャとする。このとき、（Ｎ×ｎ＋１）番目の画像から（Ｎ×ｎ＋Ｎ）番目の画像までをまとめてＧＯＰ（Ｇroup  of  Ｐictures）と呼ぶ。
【００１２】
ここで、図１７にはＮ＝１５、Ｍ＝３の場合のＧＯＰを示している。図において、Ｉピクチャは画像間予測を行わず、画像内変換符号化のみを行う。Ｐピクチャは直前のＩピクチャまたはＰピクチャから予測を行う。例えば、図中６番目の画像はＰピクチャであるが、これは３番目のＩピクチャから予測を行う。また、図中９番目のＰピクチャは６番目のＰピクチャから予測する。Ｂピクチャは直前と直後のＩピクチャまたはＰピクチャから予測する。例えば、図中、４番目および５番目のＢピクチャは、３番目のＩピクチャと６番目のＰピクチャの双方から予測することになる。従って、４番目、５番目の画像は、６番目の画像情報の符号化を行った後、符号化する。
【００１３】
図１５は、このようなハイブリッド符号化方式のディジタル映像信号を符号化するための符号化装置であって、入力端子１から入力されたディジタル映像信号は、メモリ回路８１に入力される。メモリ回路８１では、画像情報を符号化順に並べ替えて出力する。すなわち、先に述べたように、図１７において、例えば１番目のＢピクチャは３番目のＩピクチャの後に符号化されるので、ここで画像情報の並べ替えを行う。
【００１４】
図１８には、このようなメモリ回路８１における画像情報の並べ替えの動作を示している。図１８（ａ）のように入力された画像シーケンスは、図１８（ｂ）の順で出力される。メモリ回路８１から出力される映像信号９２ａは、時間軸方向の冗長度を落とすために減算器８２で動き補償予測回路９０から出力される予測画像情報９４ａとの画像情報間で差分がとられた後、ＤＣＴ回路８３で空間軸方向にＤＣＴが施される。ＤＣＴ変換された画像情報の係数（ＤＣＴ係数）は量子化回路８４で量子化され、さらに可変長符号化回路８５に入力される。可変長符号化回路８５では、量子化されたＤＣＴ係数、及び動きベクトル情報が可変長符号化され、アドレス情報等のヘッダ情報が付加されて誤り訂正回路８６に入力される。
【００１５】
誤り訂正回路８６では、入力される画像情報に対して誤り訂正処理を行い変調回路９１に出力する。変調回路９１では、画像情報をディジタル変調して、光ディスクなどの記録メディア１に記録する。
【００１６】
一方、量子化回路８４によって量子化された変換係数は、逆量子化回路８７で逆量子化され、さらにＩＤＣ回路８８でＩＤＣＴが施された後、加算器８９で予測画像情報９４ａと加算されて、復号画像の画像情報９３ａが求められる。この画像情報９３ａは、次の画像の符号化のために動き補償予測回路９０に入力される。
【００１７】
次に、動き補償予測回路９０の動作を、図１６の各ブロックに従って説明する。動き補償予測回路９０では、フレームメモリ９５ａとフレームメモリ９５ｂに記憶された２つの参照画像の画像情報を用いて、メモリ回路８１から出力される映像信号９２ａを動き補償予測し、予測画像情報９４ａを出力する。
【００１８】
まず、上記のように符号化され復号された画像情報９３ａがＩピクチャまたはＰピクチャである場合、次の画像の符号化のために、この画像情報９３ａは、フレームメモリ９５ａまたはフレームメモリ９５ｂに記憶される。このとき、フレームメモリ９５ａとフレームメモリ９５ｂのうち、時間的に先に更新された方を選択するよう、切り替え器９５が切り替えられる。復号された画像情報９３ａがＢピクチャである場合は、フレームメモリ９５ａおよびフレームメモリ９５ｂへの書き込みは行われない。
【００１９】
このような切り替えにより、例えば、図１７の１番目、２番目のＢピクチャが符号化されるときには、フレームメモリ９５ａとフレームメモリ９５ｂに、それぞれ０番目のＰピクチャと３番目のＩピクチャが記憶されており、その後、６番目のＰピクチャが符号化され復号されると、フレームメモリ９５ａは６番目のＰピクチャの復号画像に書き換えられる。
【００２０】
したがって、次の４番目、５番目のＢピクチャが符号化されるときには、上記フレームメモリ９５ａには、それぞれ、６番目のＰピクチャと３番目のＩピクチャが記憶されている。さらに、９番目のＰピクチャが符号化され復号されると、フレームメモリ９５ｂは９番目のＰピクチャの復号画像に書き換えられる。従って、７番目、８番目のＢピクチャが符号化されるときには、上記フレームメモリ９５ｂには、それぞれ、６番目のＰピクチャと９番目のＰピクチャが記憶されている。
【００２１】
メモリ回路８１から出力される映像信号９２ａが、動き補償予測回路９０に入力されると、２つの動きベクトル検出回路９６ａ、９６ｂが、それぞれ、フレームメモリ９５ａ、９５ｂに記憶されている参照画像をもとに、動きベクトルを検出し動き補償予測画像を出力する。すなわち、映像信号９２ａを複数の画像ブロックに分割し、各画像ブロックについて、参照画像の中で最も予測歪が小さくなるような画像ブロックを選び、その画像ブロックの相対的位置を動きベクトルとして出力するとともに、この画像ブロックを動き補償予測画像として出力端子９４から出力している。
【００２２】
他方、予測モード選択器９７は、動きベクトル検出回路９６ａ、９６ｂから出力される２つの動き補償予測画像、およびこれらの平均画像のうち、予測歪が最も小さいものを選択し、予測画像として出力する。このとき、映像信号９２ａがＢピクチャについてのものでなければ、時間的に先に入力された参照画像に相当する動き補償予測画像が常に選択されて、出力端子９４から出力される。
【００２３】
また、予測モード選択器９７では、予測を行わない画像内符号化と、選択された予測画像による画像間予測符号化のうち、符号化効率がよい画像情報が選択される。このとき、映像信号９２ａがＩピクチャであれば、常に、画像内符号化が選択される。画像内符号化が選択された場合は、画像内符号化モードを示す信号が予測モードとして出力され、画像間予測符号化が選択された場合は、選択された予測画像を示す信号が予測モードとして出力される。切り替え器９８は、予測モード選択器９７から出力される予測モードが、画像内符号化モードであれば０信号を出力し、そうでなければ、予測モード選択器９７から出力される予測画像を出力する。
【００２４】
以上のことから、メモリ回路８１から出力される映像信号９２ａがＩピクチャのときは、動き補償予測回路９０は常に０信号を予測画像情報９４ａとして出力するので、Ｉピクチャの画像情報については画像間予測を行わず、画像内変換符号化される。また、メモリ回路８１から出力される映像信号９２ａが、例えば、図１７の６番目のＰピクチャのときは、動き補償予測回路９０は、図１７の３番目のＩピクチャから動き補償予測し、予測画像情報９４ａを出力する。また、メモリ回路８１から出力される映像信号９２ａが、例えば図１７の４番目のＢピクチャのときは、動き補償予測回路９０は、図１７の３番目のＩピクチャと６番目のＰピクチャから動き補償予測し、予測画像情報９４ａを出力する。
【００２５】
次に、図１４の様に構成されたディジタル映像信号再生装置の動作について説明する。光ディスク等の記録メディア１上に記録された画像情報は情報検出回路２に読み出されディジタル復調等が行われ、誤り訂正回路３に出力される。誤り訂正回路３では、入力されるディジタル映像信号を誤り訂正処理して、画像情報および動きベクトル情報とアドレス情報とに分離する。そして制御回路４にはアドレス情報が出力される。制御回路４では、入力されたアドレス情報にしたがって情報検出回路２の光ヘッドの位置を確認して、次に読み出すデータが格納されている位置に光ヘッドをジャンプするための制御信号を発生する。
【００２６】
ここで、通常再生の場合は制御回路４では再生を開始する点に光ヘッドをジャンプさせた後は、光ディスク上に記録されているデータを連続して読み出すように制御する。一方、高速再生の場合は例えばＩピクチャのみを読み出して再生する方法がある。この場合、制御回路４では情報検出回路２の光ヘッドを制御して、Ｉピクチャの先頭にアドレスジャンプして、Ｉピクチャの画像情報の読み出しが終了したら次のＩピクチャの先頭にジャンプする動作が繰り返される。
【００２７】
しかし、Ｉピクチャの情報量が多い場合やＩピクチャの先頭アドレスをサーチするために多くの時間を費やした場合には、光ディスク等の記録メディアから１フレームの時間内ですべてのＩピクチャを読み出すことができない。この様な場合、現在出力している画面をフリーズして、次のＩピクチャの画像情報の読み出しが完了した時点で再生出力を更新する。
【００２８】
一方、誤り訂正回路３によって分離された画像情報は、可変長復号回路５によって可変長データから固定長データに変換され、さらに逆量子化され、ＩＤＣＴ回路６によってＩＤＣＴが施され、加算器８への第１の入力として供給される。これに対して予測データ復号回路７では、誤り訂正回路３から出力される動きベクトル情報に従って予測画像を復号し、これが加算器８への第２の入力として与えられる。
【００２９】
この場合、予測データ復号回路７は、動き補償予測回路９０と同様に加算器８によって復号されるＩピクチャおよびＰピクチャの画像情報を記憶するフレームメモリを備えており、ＰピクチャおよびＢピクチャの入力時には、動きベクトル情報に従って対象となるＩピクチャおよびＰピクチャから予測画像を再現し、加算器８に出力している。なお、ＩピクチャおよびＰピクチャの入力時での参照画像情報の更新方法については、図１５の符号化装置の場合と同じであるので説明を省略する。
【００３０】
加算器８では予測データ復号回路７の出力とＩＤＣＴ回路６の出力を加算し、この加算結果はメモリ回路９に出力される。既に説明した通り、符号化時には図１８に示す様な符号化する順に従って、時間的に連続して入力する映像信号をフレーム単位で並び替えている。このためメモリ回路９では、図１８（ｂ）に示す順で入力されるフレーム単位の画像情報を図１８（ａ）の順に並び替えて、時間的に連続する画像情報として出力端子１２から出力する。ただし、高速再生時にＩピクチャのみを再生する場合は、メモリ回路９ではピクチャ単位でのデータの並び替えは行わない。
【発明の開示】
【発明が解決しようとする課題】
【００３１】
従来のディジタル映像信号再生装置は以上のように構成され、Ｉピクチャを使って高速再生を行う場合、ＧＯＰの先頭部分を光ディスク等の記録メディア上に記録してあるビットストリーム上から検出した後、Ｉピクチャのデータを読み出すことになる。このため、Ｉピクチャのデータ量が非常に大きくなった場合や、ＧＯＰの先頭部分をサーチするために多くの時間を要した場合、光ディスク等の記録メディアから画像情報をすべて読み出すまで再生出力がフリーズされる。しかし、低レートで符号化された再生画像をフリーズした場合には、１画面を構成する複数の画像ブロック間の歪が目だつという問題があった。
【００３２】
この発明は上記のような問題点を解消することを目的としてなされたもので、特殊再生時には再生画像に対してポストフィルタをかけて、特殊再生時にブロック歪が目だたないディジタル映像信号再生装置を得ることを目的とする。
【課題を解決するための手段】
【００３３】
この発明に係る光ディスクの再生方法は、
動き補償予測とＤＣＴとを用いて高能率符号化された映像情報が記録される光ディスクであって、
フレーム内ＤＣＴが行われた映像情報であるＩピクチャ、前方向の動き補償が行われたＤＣＴ符号化による映像情報であるＰピクチャ、及び時間的に前後に位置する前記Ｉピクチャ、Ｐピクチャを参照画面として動き補償が行われたＤＣＴ符号化による映像情報であるＢピクチャを含む映像情報ブロックから構成され、
上記映像情報ブロックの先頭に上記Ｉピクチャが配置されたディジタル映像情報が記録された光ディスクの再生方法において、
一つの映像情報ブロックにおけるＩピクチャの読出しの終了後に、次の映像情報ブロックのＩピクチャが記録されているアドレスにジャンプすることで、順次Ｉピクチャのみを再生することによる高速再生を行い、
高速再生されたＩピクチャの映像情報をメモリに記憶させ、
上記ＩピクチャからＩピクチャまでのジャンプにおいて、予め決められた一定時間内にＩピクチャの読出しが完了しない場合でも次の映像情報ブロックにジャンプさせ、
上記Ｉピクチャのすべての映像情報がメモリに記録されるまで、メモリから出力される画面情報をフリーズさせ、
上記高速再生時に上記メモリの出力を画面単位でのポストフィルタ処理させ、
高速再生時には上記ポストフィルタの出力を選択して出力する一方、通常再生時には上記メモリの出力を、上記ポストフィルタ手段を通すことなく出力する
ものである。
【００３４】
他の発明に係るディジタル映像信号再生装置は、前記復号手段では、前記記録メ
ディア上から前記画像情報の内の画像内変換された符号化画像（以下、Ｉピクチャという。）のみを復号することを特徴とする。
【００３５】
他の発明に係るディジタル映像信号再生装置は、動き補償予測とＤＣＴとを用いて高能率符号化された画像情報の一部分が特殊再生用のデータとして、通常再生時のみに使用するデータとは別のエリアに記録されたディジタル映像信号を記録メディア上から読み出して、映像を再生するディジタル映像信号再生装置において、映像の特殊再生時に前記記録メディア上から前記特殊再生用のデータのみを復号する復号手段と、前記復号手段から読み出された特殊再生画像に対して画面単位でポストフィルタを施すフィルタ手段とを備えたことを特徴とする。
【００３６】
他の発明に係るディジタル映像信号再生装置は、前記記録メディア上には前記画像情報の内のＩピクチャの一部分が特殊再生用のデータとして記録されていることを特徴とする。
【００３７】
他の発明に係るディジタル映像信号再生装置は、直交変換を用いて高能率符号化された画像情報として記録されたディジタル映像信号を記録メディア上から読み出して、映像を再生するディジタル映像信号再生装置において、映像の特殊再生時に前記記録メディア上から前記ディジタル映像信号の一部分を復号する復号手段と、前記復号手段で復号されたディジタル映像信号に対して画面単位でポストフィルタを施すフィルタ手段とを備えたことを特徴とする。
【００３８】
他の発明に係るディジタル映像信号再生装置は、直交変換を用いて高能率符号化された画像情報の一部分が特殊再生用のデータとして、通常再生時のみに使用するデータとは別のエリアに記録されたディジタル映像信号を記録メディア上から読み出して、映像を再生するディジタル映像信号再生装置において、映像の特殊再生時に前記記録メディア上から前記特殊再生用のデータのみを復号する復号手段と、前記復号手段で復号された特殊再生画像に対して画面単位でポストフィルタを施すフィルタ手段とを備えたことを特徴とする。
【発明の効果】
【００３９】
この発明に係る光ディスクの再生方法によれば、高速再生時に、Ｉピクチャの情報量が多い場合や、Ｉピクチャの先頭アドレスをサーチするために多くの時間を費やした場合にも、高速再生を円滑に行うことができる。また、高速再生時に画面単位でポストフィルタを施して出力するため、高速再生画像をフリーズした場合などにも、高速再生画像のブロック歪が目だちにくいという利点がある。
【００４０】
他の発明に係るディジタル映像信号再生装置によれば、特殊再生時にＩピクチャの画像情報のみを読み出して復号した後に、画面単位でポストフィルタを施して再生画像として出力するため、特に特殊再生時に画面がフリーズされた場合などブロック歪が目だちにくい。
【００４１】
他の発明に係るディジタル映像信号再生装置によれば、特殊再生時に特殊再生用のデータのみを通常再生用のデータとは別のエリアから読み出して復号した後に、画面単位でポストフィルタを施して再生画像として出力するため、特殊再生画像のブロック歪が目だちにくい。
【００４２】
他の発明に係るディジタル映像信号再生装置によれば、特殊再生時には画像情報のうちのＩピクチャの一部分を特殊再生用のデータとして通常再生用のデータとは別のエリアから読み出して復号した後に、画面単位でポストフィルタを施して再生画像として出力するため、特殊再生画像のブロック歪が目だちにくい。
【００４３】
他の発明に係るディジタル映像信号再生装置によれば、特殊再生時に画像情報の一部分を読み出して復号した後に、画面単位でポストフィルタを施して、再生画像として出力するため、特に特殊再生時に画面がフリーズされた場合などブロック歪が目だちにくい。
【００４４】
他の発明に係るディジタル映像信号再生装置によれば、特殊再生時に特殊再生用のデータのみを通常再生用のデータとは別のエリアからから読み出して復号した後に、画面単位でポストフィルタを施して再生画像として出力するため、特殊再生画像のブロック歪が目だちにくい。
【発明を実施するための最良の形態】
【００４５】
実施の形態１．
この発明に係る光ディスクの再生方法によれば、高速再生時に、Ｉピクチャの情報量が多い場合や、Ｉピクチャの先頭アドレスをサーチするために多くの時間を費やした場合にも、高速再生を円滑に行うことができる。また、高速再生時に画面単位でポストフィルタを施して出力するため、高速再生画像をフリーズした場合などにも、高速再生画像のブロック歪が目だちにくいという利点がある。
【００４６】
他の発明に係るディジタル映像信号再生装置では、動き補償予測とＤＣＴを用い
て高能率符号化された画像情報が記録された記録メディアから、特殊再生時にＩピクチャの画像情報のみを読み出し復号した後に、画面単位でポストフィルタを施したため、特殊再生画像がフリーズされた場合などにブロック歪が目だちにくい。
【００４７】
他の発明に係るディジタル映像信号再生装置では、動き補償予測とＤＣＴとを用いて高能率符号化された特殊再生用のデータが記録された記録メディア上から、特殊再生時に特殊再生用のデータのみを通常再生用のデータとは別のエリアから読み出して復号した後に、画面単位でポストフィルタを施し再生画像として出力するため、特殊再生画像のブロック歪が目だちにくい。
【００４８】
他の発明に係るディジタル映像信号再生装置では、記録メディア上には画像情報の内のＩピクチャの一部分が特殊再生用のデータとして記録されているから、特殊再生時には画像情報のうちのＩピクチャの一部分を特殊再生用のデータとして通常再生用のデータとは別のエリアから読み出して復号した後に、画面単位でポストフィルタを施し再生画像として出力できる。
【００４９】
他の発明に係るディジタル映像信号再生装置では、直交変換を用いて高能率符号化された画像情報が記録された記録メディアから、特殊再生時に画像情報の一部分を読み出して復号した後に、画面単位でポストフィルタを施して、再生画像として出力するため、特殊再生画像がフリーズされた場合などブロック歪等が目だちにくい。
【００５０】
他の発明に係るディジタル映像信号再生装置によれば、直交変換を用いて高能率符号化された特殊再生用のデータが記録された記録メディア上から、特殊再生時に特殊再生用のデータのみを通常再生用のデータとは別のエリアからから読み出して復号した後に、画面単位でポストフィルタを施し再生画像として出力するため、特殊再生画像のブロック歪が目だちにくい。
【００５１】
以下、添付した図面を参照して、本発明の実施の形態１について説明する。
図１は、本発明の実施の形態１のディジタル映像信号再生装置の構成を示すブロック図である。図１において、図１４の従来装置と同一または相当部分については同一符号を付けている。記録メディア１上に記録してある画像情報は情報検出回路２によって読み出され、ディジタル復調して誤り訂正回路３に出力する。誤り訂正回路３では、情報検出回路２の出力につき誤り訂正処理を行い、アドレス情報を制御回路４に出力する。制御回路４では入力されるアドレス情報に従って情報検出回路２を制御する。一方、誤り訂正回路３の出力は可変長復号回路５にも入力され、ＩＤＣＴ回路６を介して加算器８への第１の入力として与えられる。また、誤り訂正回路３から出力される動きベクトル情報は予測データ復号回路７に入力され、予測データ復号回路７の出力は加算器８への第２の入力として与えられる。加算器８の出力は、メモリ回路９を介してポストフィルタ１０および選択回路１１に入力される。選択回路１１では、メモリ回路９の出力とポストフィルタ１０の出力のいずれかを選択して、出力端子１２から出力する。
【００５２】
次に、実施の形態１のディジタル映像信号再生装置の動作について説明する。図２は、実施
例１における記録メディア１上でのデータ配列を説明するための概念図である。この記録メディア１は例えば光ディスク等の記録媒体である。ここで、記録メディア１にはディジタル映像信号を動き補償予測して、その予測誤差をＤＣＴにより周波数変換を行って量子化し、可変長符号化処理を行うことによって高能率符号化された画像情報に対して、誤り訂正符号およびＧＯＰ単位でのアドレス情報を付加された映像信号が記録されている。ただし、高能率符号化方法については従来例で説明したハイブリッド符号化方式（図１５）と同じである。そこで、その詳細な説明は省略するが、記録メディア１上には図２に示すようにＧＯＰ単位で画像情報が記録される。図２のＧＯＰの先頭部分にあるヘッダ情報には、ＧＯＰ単位でのアドレス情報等が記録され、以下Ｉピクチャの画像情報を先頭に、図１８（ｂ）に示すように並べ替えられた順番で画像情報が記録されている。
【００５３】
光ディスク等の記録メディア１上に記録された画像情報は情報検出回路２によって読み出されてディジタル復調等が行われ、誤り訂正回路３に出力される。誤り訂正回路３では、復調されたディジタルデータを誤り訂正処理して、ＧＯＰ単位でのアドレス情報、画像情報および動きベクトル情報に分離する。制御回路４では、入力されるＧＯＰ単位でのアドレス情報にしたがって情報検出回路２の光ヘッドの位置を確認して、情報検出回路２に対して、次に読み出す画像情報が格納されている位置に光ヘッドをジャンプするための制御信号を発生する。
【００５４】
この制御回路４では、通常再生の場合は再生を開始する点に光ヘッドをジャンプさせた後は、光ディスク上に記録されている画像情報を連続して読み出すように制御する。これに対して高速再生の場合には、図２に示すようにＧＯＰの先頭に記録してあるＩピクチャの画像情報のみを光ディスクから読み出して再生を行う。そこで、上記制御回路４においては情報検出回路２の光ヘッドを制御して、まずＧＯＰの先頭にアドレスジャンプして、Ｉピクチャについての画像情報を読み出し、それが終了したら次のＧＯＰの先頭にジャンプするような動作が繰り返される。
【００５５】
ここで、図１７に示すようにＧＯＰが１５フレームの画像情報を単位として構成されている場合には、１フレームの時間内にＩピクチャについての画像情報のすべてを読み出すことができれば、１５倍速の高速再生が実現できる。しかし、映像信号の符号量はＧＯＰ単位で制御されるためにＩピクチャの情報量は一定ではなく、ＧＯＰ毎に変化する。さらに、光ディスク等からそこに記録された映像信号を読み出す場合、光ヘッドが光ディスク上の目的の点まで移動するための回転待ち時間が生じる。したがって、Ｉピクチャの情報量が多い場合やＩピクチャの先頭アドレスをサーチするために多くの時間を費やした場合には、光ディスクから１フレームの時間内ですべてのＩピクチャについての映像信号を読み出すことができなくなる。
【００５６】
この様な場合には、現在実行中の記録メディア１からのＩピクチャの画像情報の読み出しが完了するまで、現在出力している画面をフリーズする。ただし、画面のフリーズおよび更新はフレーム信号に同期して行う。すなわち、次のＧＯＰの先頭へのアドレスジャンプはフレーム信号に同期して行い、光ディスクからすべてのＩピクチャを読み出した後のフレームパルスにしたがってアドレスジャンプを行う。
【００５７】
また、誤り訂正回路３によって分離された動きベクトル情報は予測データ復号回路７に入力され、画像情報については可変長復号回路５に入力される。ここで、可変長復号回路５、ＩＤＣＴ回路６、予測データ復号回路７および加算器８の動作については従来例のディジタル映像信号再生装置と同じであるため、それらの説明は省略する。
【００５８】
メモリ回路９では、ブロック単位で入力される画像の映像信号をフレーム信号に同期してライン単位で出力する。ただし、図１８に示す様に符号化時には時間的に連続する映像信号を符号化する順にしたがってフレーム単位での並び替えを行っている。このため、メモリ回路９では加算器８の出力として図１８（ｂ）に示す順で入力される画像情報を、図１８（ａ）の順に、すなわち画像情報が時間的に連続する様に並び替えて出力端子１２から出力する。ただし、高速再生時にはＩピクチャのみを再生するため、メモリ回路９でピクチャ単位での画像情報の並び替えを行わない。
【００５９】
したがって、高速再生時には加算器８から出力されるＩピクチャの画像情報をフレーム単位でメモリ回路９内のフレームメモリに記録して、フレーム信号に同期する画像情報として出力する。すなわち、画像情報を記録するフレームメモリと読み出すフレームメモリの切り替えは、フレーム信号に同期して行う。ただし、光ディスクからのＩピクチャの読み出しが１フレームの時間内に終了しない場合は、メモリ回路９内部のフレームメモリの切り替えを停止する。こうして、すべてのＩピクチャの画像情報がメモリ回路９に記録されるまでは、現在出力されている画面をフリーズできることになる。また、選択回路１１は、通常再生時にはメモリ回路９からフレーム信号に同期して出力される画像情報を選択して出力端子１２に出力する。一方、高速再生時には、メモリ回路９の出力がポストフィルタ回路１０によってフィルタ処理された画像情報を選択して、出力端子１２から出力する。
【００６０】
ここで、ディジタル映像信号を５Ｍｂｐｓ以下のレートで符号化した場合、その再生画像にブロック歪が発生する。このブロック歪は、通常再生された映像からは視覚上確認することはできないが、画面をフリーズした場合にはブロック歪がはっきり確認できる。したがって、高速再生時にＩピクチャをフリーズして再生した場合、再生画像のブロック歪がはっきりとわかる。このため、高速再生時にはポストフィルタ回路１０によって１画面単位で低域通過フィルタを施すことにより、再生画像のブロック歪を軽減している。この場合、低域通過フィルタにより再生画像の解像度は低下するが、高速再生時の再生画像としては解像度が低下した画像より、不自然なブロック歪が目だつ再生画像の方が主観的には見苦しいことが多い。すなわち、高速再生時の再生画像に対して画面単位でポストフィルタを施すことにより、ブロック歪が目だたない高速再生を実現することができる。
【００６１】
図３は、このポストフィルタ回路１０の一例を示すブロック図である。ここに示すように、実際には、ポストフィルタ回路１０はライン単位で入力される画像情報に対して水平ＬＰＦ３１によって水平方向のＬＰＦを施した後に、垂直ＬＰＦ３２によって垂直方向に対してＬＰＦを施している。図４は、実施の形態１におけるポストフィルタ回路１０の周波数特性を示す図である。このポストフィルタ回路１０は、図５、図６に示すように、乗算係数が
A0  =  0.603513641
A1  =  0.25530132
A2  =  -0.05175682
A3  =  -0.00530132
の乗算器によって構成され、図４に示す周波数特性を持つ７タップのＦＩＲフィルタが用いられる。
【００６２】
７タップのＬＰＦとして水平ＬＰＦ３１を構成すれば、図５に示すようになる。すなわち図５において、従属接続された６段のフリップフロップ（ＦＦ）４１〜４６によって、入力された画像情報は遅延される。そして、乗算係数が同じになる画像情報がそれぞれ加算器４７〜４９によって加算され、これら加算器４７〜４９の出力およびＦＦ４３の出力を乗算器５０〜５３で所定の乗算係数と乗算して、その結果を加算器５４で加算することにより、７タップの水平フィルタを構成している。また、垂直ＬＰＦ３２は図６に示すように構成できる。すなわち、６個のラインメモリ６１〜６６によって垂直方向に対して画像情報の遅延を行っている。さらに、乗算係数が同じになる画像情報がそれぞれ加算器６７〜６９によって加算され、これら加算器６７〜６９の出力およびラインメモリ６３の出力を乗算器７０〜７３で所定の乗算係数と乗算して、その結果を加算器７４で加算することにより、７タップの垂直フィルタを構成している。
【００６３】
なお、上記実施の形態では高速再生時にＧＯＰの先頭に記録してあるＩピクチャの画像情報にアドレスジャンプして、Ｉピクチャの読み出しが終了した後に次のＧＯＰのＩピクチャにジャンプしているが、次のＧＯＰへのアドレスジャンプを一定時間単位で行ってもよい。すなわち、予め決められた一定時間内でＩピクチャの画像情報を光ディスク等の記録メディア１から読み出し、一定時間内にＩピクチャの読み出しが完了してなくても次のＧＯＰの先頭にアドレスジャンプを行う。このため、高速再生画像は、図７に示すように記録メディア１から読み出すことができたエリアの画像情報のみが更新されて再生される。この場合、ポストフィルタ回路１０により画面内で更新された部分と更新されていないエリアの境界を目だたなくすることができる。
【００６４】
また、上記実施の形態では記録メディア１を光ディスクとしていたが、必ずしも光ディスクである必要はない。磁気テープ等の記録メディアについても、同様の効果を得ることができる。また、上記実施の形態ではポストフィルタ１０として７タップのＬＰＦを使用しているが、必ずしも７タップである必要はなく、任意のタップ数でＬＰＦを構成することができる。
【００６５】
さらに上記実施の形態では、高速再生時のみポストフィルタ回路１０の画像情報を選択するようにしたが、スロー再生およびスチル再生時など、他の特殊再生時にもポストフィルタ回路１０を用いてブロック歪を軽減することができる。高速再生時でも再生画面がフリーズされないで出力される場合には、再生画像のブロック歪は目だたなくなる。しがたって、そのような場合にはポストフィルタを施さないように、選択回路１１を制御してもよい。
【００６６】
また、上記実施の形態では、特殊再生は各ＧＯＰのＩピクチャのみをディスクから読み出して再生するものとして説明したが、Ｐピクチャ等任意のピクチャを再生することによって高速再生を行う場合でも、同様にポストフィルタ回路１０を用いてブロック歪を軽減することができる。さらに、必ずしも各ＧＯＰからそのＩピクチャをすべて再生する必要はなく、ＧＯＰ数単位に１回だけＩピクチャを再生してもよい。
【００６７】
実施の形態２
つぎに、本発明の実施の形態２について説明する。実施の形態２のディジタル映像信号再生装置では、動き補償予測とＤＣＴとを用いて高能率符号化された画像情報の一部分が、通常再生時のみに使用するデータとは別に、特殊再生用のデータとして分離されたディジタル映像信号を、記録メディア上から読み出し再生するようにしている。
【００６８】
図８は、本発明の実施の形態２におけるディジタル映像信号再生装置の構成を示すブロック図である。この図において、図１の装置と同一または相当部分については同一符号を付けている。１３は誤り訂正回路であり、ここでは情報検出回路２の出力をディジタル復調し、誤り訂正処理を行い、光ディスク等の記録メディア１からアドレス情報、動きベクトル情報、特殊再生用データ、通常再生用データに分離された画像情報として出力する。また、１４はブロックデータ再構成回路であり、ここでは通常再生時に、特殊再生用のデータと通常再生時のみに使用するデータとを合わせてブロックデータを再構成する。
【００６９】
このように構成されたディジタル映像信号再生装置の動作を説明する。図９は、実施の形態２における記録メディア１上でのデータ配列を説明するための概念図、図１０は、ＤＣＴ係数の分割を説明するための概念図である。なお、記録メディア１は例えば光ディスク等の記録媒体である。ここで、記録メディア１にはディジタル映像信号を動き補償予測して、その予測誤差をＤＣＴにより周波数変換を行って量子化し、さらに可変長符号化処理を行うことによって高能率符号化された画像情報に対して、誤り訂正符号およびＧＯＰ単位でのアドレス情報を付加された映像信号が記録される。また、画像情報のうちＩピクチャのＤＣＴ係数は、図１０に示す様にその低域部分と高域部分が互いに分離され、低域成分を特殊再生用のデータとして、通常再生用のデータとは別のエリアに記録されている。この場合、通常再生用のデータはＩピクチャの低域成分と、ＰピクチャおよびＢピクチャの画像情報から構成される。したがって通常再生時にＩピクチャを再生するためには、それぞれ異なるエリアに記録してあるその低域成分と高域成分とを再構成して、Ｉピクチャの画像情報を復号する必要がある。
【００７０】
ここでＩピクチャの低域成分とは、８画素×８ラインを単位ブロックサイズとしてＤＣＴを行う場合に、画像情報の重要な成分を含んでいる、例えば図１０の破線で囲む領域として示されるような、水平および垂直方向の低域成分を意味する。この場合、図１０に示す低域成分のみを使用して復号を行っても画像の内容を十分把握することができる。このため、高速再生時には図１０の破線で囲まれた低域成分の６個の信号のみを用いて、画像再生を行うことができる。こうすれば、Ｉピクチャの低域成分の情報量は、Ｉピクチャ全体の画像情報の情報量に比べて少ないため、高速再生時に１フレームの時間内ですべてのＩピクチャを読み出すことができる。
【００７１】
光ディスク等の記録メディア１上に記録された画像情報は情報検出回路２によって読み
出されてディジタル復調等が行われ、誤り訂正回路１３に出力される。誤り訂正回路１３では、復調されたディジタルデータを誤り訂正処理して、通常再生用の画像情報、高速再生用の画像情報、動きベクトル情報およびＧＯＰ単位でのアドレス情報に分離する。制御回路４では、入力されるＧＯＰ単位でのアドレス情報にしたがって情報検出回路２の光ヘッドの位置を確認して、情報検出回路２に対して、次に読み出す画像情報が格納されている位置に光ヘッドをジャンプするための制御信号を発生する。
【００７２】
この制御回路４では、通常再生の場合は再生を開始する点に光ヘッドをジャンプさせた後は、光ディスク上に記録されている画像情報を連続して読み出すように制御する。これに対して高速再生の場合には、図９に示すようにＧＯＰの先頭に記録してある高速再生用のデータ（Ｉピクチャの低域成分）のみを光ディスクから読み出して再生する。そこで、上記制御回路４においては情報検出回路２の光ヘッドを制御して、Ｉピクチャの先頭にアドレスジャンプして、高速再生用のデータを読み出し、それが終了したら次のＧＯＰの先頭にジャンプするような動作が繰り返される。
【００７３】
また、誤り訂正回路１３によって分離された動きベクトル情報は予測データ復号回路７に入力され、通常再生用データおよび高速再生用データについてはブロックデータ再構成回路１４に入力される。ここで、Ｉピクチャの各ブロックについては、図１０に示すように１ブロックの係数が低域成分と高域成分に分割されているため、通常再生時には各ブロック単位で低域成分と高域成分を合成して画像情報を再構成する必要がある。
【００７４】
すなわち、ブロックデータ再構成回路１４では、通常再生時には低域成分である高速再生用データと高域成分である通常再生用データを合成して１ブロック分の画像情報を再構成する。一方、高速再生時にはブロックデータ再構成回路１４では、低域成分である高速再生用データのみを用いて１ブロック分の画像情報を合成する。ブロックデータ再構成回路１４の出力は可変長復号回路５に入力され、順次、画像情報として復号される。ここで、可変長復号回路５、ＩＤＣＴ回路６、予測データ復号回路７、加算器８およびメモリ回路９の動作については実施の形態１と同じであるため、それらの説明は省略する。
【００７５】
また、選択回路１１は、通常再生時にはメモリ回路９からフレーム信号に同期して出力される画像情報を選択して出力端子１２に出力する。一方、高速再生時には、メモリ回路９の出力がポストフィルタ回路１０によってフィルタ処理された画像情報を選択して、出力端子１２から出力する。
【００７６】
ここで、高速再生用データとして各ブロックの低域成分のみを符号化した画像情報には、各ブロックの高域成分が欠落していることによって、その再生画像にブロック歪が発生する場合がある。したがって、高速再生時に再生画像のブロック歪がはっきりとわかる。このため、高速再生時にはポストフィルタ回路１０によって１画面単位で低域通過フィルタを施すことにより、再生画像のブロック歪を軽減している。
【００７７】
この場合、低域通過フィルタにより再生画像の解像度は低下するが、高速再生時の再生画像としては解像度が低下した画像より、不自然なブロック歪が目だつ再生画像の方が主観的には見苦しいことが多い。すなわち、高速再生時の再生画像に対して画面単位でポストフィルタを施すことにより、ブロック歪が目だたない高速再生を実現できる。ここで、ポストフィルタ回路１０の動作については実施の形態１と同じであるため説明を省略する。
【００７８】
なお上記実施の形態２では、Ｉピクチャのブロックデータを低域成分と高域成分に分割して、それぞれ光ディスク上の別エリアに記録するようにしたが、Ｉピクチャのブロックデータの他に、Ｐピクチャのブロックデータについても低域成分と高域成分に分割して、その前者を高速再生データとして通常再生用のデータとは別エリアに記録してもよい。
【００７９】
また、上記実施の形態２ではＩピクチャのブロックデータを低域成分と高域成分に分割して各々をディスク上の別エリアに記録していたが、通常再生用のデータとしては、低域成分と高域成分とに分割しないで記録し、特殊再生用のデータとして別エリアにＩピクチャの低域成分のみを記録するようにしてもよい。こうすれば、特殊再生用のデータは高速再生時のみに使用し、通常再生時にはＩピクチャの低域成分と高域成分とを再構成する必要はない。
【００８０】
実施の形態３．
つぎに、本発明の実施の形態３について、図１１乃至図１３を参照しながら説明する。実施の形態３では、動き補償予測を用いずにＤＣＴのみによって高能率符号化された画像情報として記録されたディジタル映像信号を記録メディア上から読み出して、映像を再生するディジタル映像信号再生装置について説明する。
【００８１】
図１１は、この発明の実施の形態３におけるディジタル映像信号再生装置の構成を示すブロック図である。この図において、図１の実施の形態１と同一または相当部分については同一符号を付けている。なお、１５は誤り訂正回路、１６はフレームメモリである。
【００８２】
次に、この再生装置の動作について説明する。記録メディア１は例えば光ディスク等の記録媒体である。ここで、記録メディア１には、画像情報が例えば８画素×８ラインのブロックにブロッキングしてＤＣＴにより周波数変換されて量子化され、可変長符号化処理によって高能率符号化して、誤り訂正符号およびフレーム単位でのアドレス情報が付加された映像信号として記録されている。この場合、記録メディア１上では図１２に示すように各フレームの先頭にはアドレス情報などのヘッダ情報が記録されている。ただし、周波数変換、ＤＣＴおよび可変長符号化等の処理については従来例のものと同じであるため、それらの説明は省略する。
【００８３】
光ディスク等の記録メディア１上に記録された画像情報は情報検出回路２によって読み出されディジタル復調等が行われ、誤り訂正回路１５に出力される。誤り訂正回路１５では、復調されたデータを誤り訂正処理して、画像情報、フレーム単位でのアドレス情報に分離する。制御回路４では、入力されるフレーム単位でのアドレス情報にしたがって情報検出回路２の光ヘッドの位置を確認して、情報検出回路２に対して、次に読み出すデータが格納されている位置に光ヘッドをジャンプするための制御信号を発生する。
【００８４】
この制御回路４では、通常再生の場合は再生を開始する点に光ヘッドをジャンプさせた後は、光ディスク上に記録されている画像情報を連続して読み出すように制御する。これに対して、高速再生の場合には、例えば１５フレーム毎に１フレーム分の画像情報を光ディスクから読み出して再生を行う。そこで、制御回路４においては情報検出回路２の光ヘッドを制御して、まずフレームの先頭にアドレスジャンプして、１フレーム分のデータを読み出し、それが終了したら１５フレーム先のフレームの先頭にジャンプするような動作が繰り返される。
【００８５】
しかし、光ディスク等からそこに記録された映像信号を読み出す場合、光ヘッドが目的の点に移動するまでの光ディスクの回転待ち時間が生じる。したがって、フレームの先頭アドレスをサーチするために多くの時間を費やした場合には、光ディスクから１フレームの時間内ですべての１フレーム分のデータを読み出すことができなくなる。
【００８６】
この様な場合には、現在出力している画面をフリーズして、次に出力するデータの読み出しが完了した時点で再生出力を更新する。ただし、画面のフリーズおよび更新はフレーム信号に同期して行われる。すなわち、光ディスク上でのアドレスジャンプはフレーム信号に同期して行い、光ディスクからすべてのデータを読み出した後のフレームパルスにしたがってアドレスジャンプを行う。
【００８７】
また、誤り訂正回路１５によって光ディスク上のアドレス情報と分離された画像情報については可変長復号回路５に入力される。ここで、可変長復号回路５、ＩＤＣＴ回路６の動作については従来例のディジタル映像再生装置と同じであるため、それらの説明は省略する。
【００８８】
ここで、フレームメモリ１６は２フレーム分のフレームメモリによって構成されており、８画素×８ラインのブロック単位で入力される映像信号を１フレーム分記録し、ライン単位で出力する。この場合、画像情報を記録するフレームメモリと読み出すフレームメモリ１６の切り替えは、フレーム信号に同期して行う。ただし、光ディスクからの１画面分の画像情報の読み出しが１フレームの時間内に終了しない場合は、フレームメモリ１６の切り替えを停止する。したがって、１画面分のデータが記録されるまでは、現在出力されている画面がフリーズされることになる。
【００８９】
また、選択回路１１は、通常再生時にはメモリ回路９からフレーム信号に同期して出力される画像情報を選択して出力端子１２に出力する。一方、高速再生時には、メモリ回路９の出力がポストフィルタ回路１０によってフィルタ処理された画像情報を選択して、出力端子１２から出力する。
【００９０】
ここで、ディジタル映像信号を５Ｍｂｐｓ以下のレートで符号化した場合、その再生画像にブロック歪が発生する。このブロック歪は通常再生の場合は視覚上確認することはできないが、画面をフリーズした場合にはブロック歪がはっきり確認できる。したがって、高速再生時に再生出力がフリーズされた場合、再生画像のブロック歪がはっきりとわかる。
【００９１】
このため、高速再生時にはポストフィルタ回路１０によって１画面単位で低域通過フィルタを施すことにより再生画像のブロック歪を軽減している。この場合、低域通過フィルタにより再生画像の解像度は低下するが、高速再生時の再生画像としては解像度が低下した画像より、不自然なブロック歪が目だつ再生画像よりも主観的には見苦しくない。すなわち、高速再生時の再生画像に対して画面単位でポストフィルタを施すことにより、ブロック歪が目だたない高速再生を実現できる。ここで、ポストフィルタ回路１０の動作については実施の形態１と同じであるため、その説明は省略する。
【００９２】
また、上記実施の形態３では高速再生時に記録メディア１より１フレーム単位で画像情報を読み出していたが、必ずしも１フレーム単位である必要はなく、例えば図１３に示すように１画面をエリア１〜５の５つのエリアに分割して、１つのフレームから１エリアずつ読み出して復号するようにしてもよい。この場合、１番目のフレームからエリア１の領域の画像情報を読み出し、２番目のフレームからエリア２の領域の画像情報を読み出し、以下同様に３、４、５番目のフレームからそれぞれエリア３、４、５の領域の各画像情報を読み出し、１画面分のデータを合成する。ただし、出力される５つのフレームは必ずしも連続フレームである必要はなく、数フレーム間隔であってもよい。
【００９３】
なお、上記実施の形態３では高速再生用のデータを通常再生用のデータと分離して光ディスク上に記録していないが、実施の形態２に示すようにＤＣＴ係数の低域成分を高速再生用のデータとしてディスク上で通常再生用のデータと別エリアに記録するシステムにおいても、同様の効果を奏する。
【００９４】
また、上記実施の形態３では、記録メディア１が光ディスクであるとして説明しているが、必ずしも光ディスクである必要はなく、磁気テープなどの記録媒体を用いてもよい。
【図面の簡単な説明】
【００９５】
【図１】本発明の実施の形態１のディジタル映像信号再生装置を示すブロック図である。
【図２】実施の形態１における記録メディア上でのデータ配列を説明するための概念図である。
【図３】実施の形態１におけるポストフィルタ回路の構成を示すブロック図である。
【図４】実施の形態１におけるポストフィルタ回路の周波数特性を示す図である。
【図５】実施の形態１における水平ポストフィルタの構成を示すブロック図である。
【図６】実施の形態１における垂直ポストフィルタの構成を示すブロック図である。
【図７】実施の形態１の変形例における特殊再生方法を説明するための概念図である。
【図８】本発明の実施の形態２のディジタル映像信号再生装置を示すブロック図である。
【図９】実施の形態２における記録メディア上でのデータ配列を説明するための概念図である。
【図１０】実施の形態２におけるＤＣＴ係数の分割を説明するための概念図である。
【図１１】本発明の実施の形態３のディジタル映像信号再生装置を示すブロック図である。
【図１２】実施の形態３における記録メディア上でのデータ配列を説明するための概念図である。
【図１３】実施の形態３の変形例における特殊再生方法を説明するための概念図である。
【図１４】従来のディジタル映像信号再生装置を示すブロック図である。
【図１５】ディジタル映像信号を符号化するための符号化装置を示すブロック図である。
【図１６】ディジタル映像信号の符号化装置における動き補償予測回路を示すブロック図である。
【図１７】映像信号符号化方式における動き補償予測を説明するための概念図である。
【図１８】映像信号符号化方式におけるメモリ回路の動作を説明するための概念図である。
【符号の説明】
【００９６】
１  記録メディア、  ２  情報検出回路、  ３  誤り訂正回路、  ４  制御回路、  ５  可変長復号回路、  ６  ＩＤＣＴ回路、  ７  予測データ復号回路、  ８  加算器、  ９  メモリ回路、  １０  ポストフィルタ回路、  １１  選択回路、  １２  出力端子。
【図１】
2005318641.tif 000003
【図２】
2005318641.tif 000004
【図３】
2005318641.tif 000005
【図４】
2005318641.tif 000006
【図５】
2005318641.tif 000007
【図６】
2005318641.tif 000008
【図７】
2005318641.tif 000009
【図８】
2005318641.tif 000010
【図９】
2005318641.tif 000011
【図１０】
2005318641.tif 000012
【図１１】
2005318641.tif 000013
【図１２】
2005318641.tif 000014
【図１３】
2005318641.tif 000015
【図１４】
2005318641.tif 000016
【図１５】
2005318641.tif 000017
【図１６】
2005318641.tif 000018
【図１７】
2005318641.tif 000019
【図１８】
2005318641.tif 000020